(57)【要約】  家具ヒンジ（１）は、サイド部品（３）が固定される取り付けプレート（２）と、開位置と閉位置との間でサイド部品（３）に対して枢動可能で且つ平行制御アームの態様の支持レバー（５）およびガイドレバー（６）を介して関節結合されるヒンジ部品（４）とを備えており、サイド部品（３）とヒンジ部品（４）との間の動作を弱めるためにハウジング（１１）およびピストンロッド（１２）を有するダンパがサイド部品（３）に設けられ、ヒンジ部品（４）の閉位置の手前４５°未満の角度範囲でのみダンパ（１１，１２）が有効である。これが操作を改善し、その場合、ダンパは、家具ドアがバタンと閉まるのを防止する。【選択図】  図１
2010501754.tif 000002
【特許請求の範囲】
【請求項１】
サイド部品（３，３’）が固定される取り付けプレート（２）と、
開位置と閉位置との間で前記サイド部品（３，３’）に対して枢動可能で且つ平行制御アームの態様の支持レバー（５）およびガイドレバー（６）を介して関節結合されるヒンジ部品（４）と
を備え、
前記サイド部品（３，３’）と前記ヒンジ部品（４）との間の動作を弱めるためにハウジング（１１，１１’）およびピストンロッド（１２，１２’）を有するダンパが前記サイド部品（３，３’）に設けられる家具ヒンジ（１，１’）において、
前記ヒンジ部品（４）の閉位置の手前４５°未満の角度範囲でのみ前記ダンパ（１１，１２；１１’，１２’）が有効であることを特徴とする、家具ヒンジ。
【請求項２】
前記ダンパ（１１，１２；１１’，１２’）は、前記ヒンジ部品（４）の２０°〜４０°の角度範囲および閉位置においてのみ有効であることを特徴とする、請求項１に記載の家具ヒンジ。
【請求項３】
前記サイド部品（３，３’）上に回転可能に保持され且つ一方で前記ダンパ（１１，１２；１１’，１２’）と結合され他方でロッドアセンブリ（１８）と結合される反転レバー（１３，１３’）が設けられることを特徴とする、請求項１または２に記載の家具ヒンジ。
【請求項４】
前記ロッドアセンブリ（１８）が前記支持レバー（５）上または前記ガイドレバー（６）上に回転可能に保持されることを特徴とする、請求項３に記載の家具ヒンジ。
【請求項５】
前記ロッドアセンブリ（１８）は、前記サイド部品（３，３’）上に配置される前記支持レバー（５）の軸（８）に隣接する前記ヒンジ部品（４）と対向する前記支持レバー（５）に連結されることを特徴とする、請求項１〜４のいずれか一項に記載の家具ヒンジ。
【請求項６】
前記ダンパ（１１，１２）が湾曲ガイド（１６）を介して前記反転レバー（１３）と結合され、前記ピストンロッド（１２）がダンピング中に前記ハウジング（１１）に対して軸方向に移動されることを特徴とする、請求項１〜５のいずれか一項に記載の家具ヒンジ。
【請求項７】
前記反転レバー（１３）上には前記ダンパ（１１，１２）と結合するために楕円穴（１６）が配置されることを特徴とする、請求項６に記載の家具ヒンジ。
【請求項８】
前記ダンパ（１１，１２）が前記取り付けプレート（２）及び／又は前記サイド部品（３，３’）に対して固定されることを特徴とする、請求項１〜７のいずれか一項に記載の家具ヒンジ。
【請求項９】
前記ダンパ（１１’，１２’）は、一方側が前記反転レバー（１３’）と結合され、他方側が前記サイド部品（２’）上に枢動可能に保持されることを特徴とする請求項１〜８のいずれか一項に記載の家具ヒンジ。
【発明の詳細な説明】
【技術分野】
【０００１】
本発明は、サイド部品が固定される取り付けプレートと、開位置と閉位置との間でサイド部品に対して枢動可能で且つ平行制御アームの態様の支持レバーおよびガイドレバーを介して関節結合されるヒンジ部品とを備え、サイド部品とヒンジ部品との間の動作を弱めるためにハウジングおよびピストンロッドを有するダンパがサイド部品に設けられる家具ヒンジに関する。
【背景技術】
【０００２】
ヒンジ部品が２つのレバーによってサイド部品に枢動可能に保持される家具ヒンジはＥＰ１５５５３７２から知られている。軸方向に移動できるピストンロッドを有するダンパがサイド部品に固定され、ヒンジ部品を閉じる最中にピストンロッドが引き出される。レバーの突出部にチェーンリンクが取り付けられ、それにより、レバーの枢動動作中、チェーンリンクが枢動され、ピストンロッドがダンパのハウジングから引き出される。この構造における不都合な態様は、レバーの枢動範囲全体にわたってダンパが有効であり、したがって、開放された家具ドアの場合でもダンピング（運動制限）が起こるという点である。また、チェーンリンクの結合に起因して配置が比較的複雑であり、また、固定された回転軸の結果として、許容誤差補償が限られた範囲でしか可能でない。
【発明の概要】
【発明が解決しようとする課題】
【０００３】
したがって、本発明の目的は、簡単な方法で配置され且つ必要な枢動範囲でのみダンピングを確保する家具ヒンジを提供することである。
【課題を解決するための手段】
【０００４】
この目的は、請求項１の特徴を有する家具ヒンジによって達成される。
【０００５】
本発明によれば、サイド部品とヒンジ部品との間の動作を弱めるためのダンパは、ヒンジ部品の閉位置の手前４５°未満の角度範囲でのみダンパが有効となるようになっている。
【０００６】
したがって、ヒンジ部品または該ヒンジ部品に固定される家具ドアの開放位置で既にダンピングが行なわれることにより操作が妨げられることが防止される。ダンパは、特に、家具ドアがバタンと閉まるのを防止するものであり、そのため、ヒンジ部品の閉位置の手前の角度範囲でのみダンパが有効であれば十分である。
【０００７】
本発明の好ましい実施形態によれば、ダンパは、閉位置の手前２０°〜４０°の角度範囲でのみ有効である。結果として、十分なダンピング経路を依然として利用できるが、家具ドアの開放位置をもって操作が妨げられない。
【０００８】
好ましい実施形態では、サイド部品上に回転可能に保持され且つ一方でダンパと結合され他方でロッドアセンブリと結合される反転レバーが設けられる。反転レバーの回転ベアリングの結果として、反転レバーの所定の回転動作が、ダンパと対向する側およびロッドアセンブリの側の両方で存在する。ロッドアセンブリは支持レバー上またはガイドレバー上に回転可能に保持されることが好ましく、それにより、コンパクトな構造が得られる。ロッドアセンブリは、サイド部品の側で支持レバーおよびガイドレバーの回転軸間に配置することができる。
【０００９】
本発明の好ましい実施形態によれば、ロッドアセンブリは、サイド部品上に配置される支持レバーの軸に隣接するヒンジ部品と対向する支持レバーに連結され、それにより、幅広い開放位置へのヒンジ部品の枢動中、ロッドアセンブリの軸の移動は殆どない。ヒンジ部品が閉じられるときだけ、支持レバーの枢動が起こり、それにより、ロッドアセンブリもそのときだけ移動される。ロッドアセンブリは、その回転軸がヒンジ部品の軸よりもサイド部品の軸の方に近く、例えば支持レバーの軸間の距離の長さの約１／３に配置されるように、支持レバーに連結することができる。
【００１０】
ピストンロッドに作用する横方向の力を回避するため、ダンパを湾曲ガイドを介して反転レバーと結合することができ、その結果、ダンピングのためにピストンロッドをハウジングに対して軸方向に移動させることができる。ダンパと結合するための楕円穴が反転レバー上に配置され、ピストンロッドまたはハウジングと接続されるピンが楕円穴内に係合するように、湾曲ガイドを配置することができる。湾曲ガイドまたは楕円穴を配置することにより、ヒンジ部品の閉動作中にダンパが有効となるポイントを決定することができる。湾曲ガイドのそれぞれの配置の場合に、閉動作中にダンパが有効となる最初のポイントを設定することができる。
【００１１】
簡単な取り付けのため、ダンパを取り付けプレート及び／又はサイド部品に固定することができる。ピストンロッドとハウジングとの間でダンパに作用する横方向の力を回避するため、ダンパは、一方側を反転レバー上に保持させることができるとともに、反対側をサイド部品上に枢動可能に保持させることもできる。
【００１２】
以下、添付図面に示される２つの実施形態を参照して、本発明を更に詳しく説明する。
【図面の簡単な説明】
【００１３】
【図１】Ａ〜Ｃは、異なる位置における本発明に係る家具ヒンジの様々な断面図を示している。
【図２】Ａ〜Ｃは、異なる位置における本発明に係る家具ヒンジの第２の実施形態の様々な断面図を示している。
【発明を実施するための形態】
【００１４】
図１のＡ〜Ｃは、金属及び／又はプラスチックから形成される家具ヒンジ１を示しており、該家具ヒンジは、家具カーカスに取り付け固定することができる取り付けプレート２を備える。取り付けプレート２には、固定態様で或いは調整機構を介してサイド部品３が取り付けられており、サイド部品３にはポット状ヒンジ部品４が枢動可能に保持されている。ヒンジ部品４は家具ドアまたは任意の他の構成部品と接続することができる。
【００１５】
ヒンジ部品４、ヒンジ部品４と対向する支持レバー５、および、隣接して配置されるガイドレバー６を枢動させるため、支持レバー５は、軸７を介してヒンジ部品４に連結されるとともに、軸８を介してサイド部品３に連結される。ガイドレバー６は、軸９を介してヒンジ部品４に連結されるとともに、軸１０を介してサイド部品３に連結される。結果として、ヒンジ部品４をサイド部品３に対して所定の枢動軌道を経て移動させることができる。この場合、支持レバー５およびガイドレバー６は平行な制御アームを形成する。
【００１６】
ヒンジ部品４の動作を枢動範囲の一部にわたって弱めるためにダンパが設けられ、このダンパは、ハウジング１１と、ハウジング１１に対して移動できるピストンロッド１２とを備える。ダンパは、リニアダンパとして配置されており、例えば流体ダンパまたはガス圧ダンパであってもよい。
【００１７】
ダンパは、ピストンロッド１２を用いて、サイド部品３に保持されて軸１４を中心に枢動できる反転レバー１３と接続される。反転レバー１３上には更に軸１７が形成されており、この軸には、支持レバーの反対側に軸１９を介して固定されるロッドアセンブリ１８またはロッドが連結される。軸１９は、支持レバー５の外側にヒンジ部品４の側へ向けて配置される支持レバー５のリンク２０上に配置される。軸１９は、軸１９と軸８との間の距離が軸７と軸１９との間の距離よりも短くなるように、ヒンジ部品４上の軸７とサイド部品３上の軸８との間に配置される。例えば、軸１９は、軸７と軸８との間の接続ラインを約１／３：２／３に分けることができる。
【００１８】
図１のＡにおいて、家具ヒンジ１は開位置で示されており、この開位置では、家具ドアが開放位置となるようにヒンジ部品４が９０°にわたって枢動される。
【００１９】
閉動作においては、図１のＢに示されるようにヒンジ部品４が枢動される。ヒンジ部品４を枢動することにより、支持レバー５およびガイドレバー６が回転する。この場合、軸７〜１０の選択の結果として、閉動作の初めに軸１９は殆ど動かない。図１のＢにおいて、ヒンジ部品は、閉位置の手前約４５°の角度αにほぼある。ダンパはこの閉位置まで作動しない。これは、ピストンロッド１２が依然としてハウジング１１に対して移動されないからである。
【００２０】
ここでヒンジ部品４が更に枢動されると、支持レバー５が、反時計周りに回転し、したがって、ロッドアセンブリ１８を反転レバー１３へ向かう方向に移動させる。このとき、反転レバー１３が軸１４を中心に枢動する。そのため、反転レバー１４は、最初、軸１５上のピンが反転レバー１３の楕円穴１６内で案内されるように、ピンが楕円穴１６の端部に達するまで移動する。ヒンジ部品４の更なる移動において、ロッドアセンブリ１８および反転レバー１３は、ピストンロッド１２がハウジング１１内に押し込まれるように移動される。
【００２１】
図１のＣは、ピストンロッド１２がハウジング１１内に挿入される家具ヒンジ１の閉位置を示している。この閉位置から、ヒンジ部品４を開位置へと再び枢動させることができる。この場合、開放プロセスが実質的に弱められない態様で起こるように、ダンパは最初の範囲でのみ有効であり、あるいは、ダンピングが一方側でのみ起こる。ヒンジ部品４には、スプリングによって閉位置へ向けて予め張力が付与される。
【００２２】
図１のＡ〜Ｃの図示の実施形態において、楕円穴１６は反転レバー１３上に湾曲ガイドとして配置される。この場合、楕円穴１６は、ダンパの有効性の開始、または、ハウジング１１に対するピストンロッド１２の移動の開始を決定する。また、楕円穴１６の代わりに他の湾曲ガイドを設けることもできる。その場合、反転レバー１３の回転動作中に移動経路の長さを設定することができ、それにより、ダンパの有効性の開始を設定することもできる。
【００２３】
図２のＡ〜Ｃは本発明に係る家具ヒンジ１’の更なる実施形態を示している。この実施形態では、第１の実施形態の場合と同じ構成部品に関して、同じ参照符号が与えられる。家具ヒンジ１’は、家具本体に対して固定することができる取り付けプレート２を備えており、取り付けプレート２上にはサイド部品３’が設けられ或いは取り付けられる。サイドプレート３’上には、ハウジング１１’およびピストンロッド１２’を有するリニアダンパが枢動可能に保持される。この場合、回転軸２１が設けられる。
【００２４】
ピストンロッド１２’は、一方側が軸１５’を介して反転レバー１３’に固定されており、反転レバーはサイド部品３’上に保持されて軸１４’を中心に回転できる。反転レバー１３’は、先と同様に、ロッドアセンブリ１８によって支持レバー５と接続され、その場合、ヒンジ部品４と支持レバー５およびガイドレバー６との接続は先の実施形態の場合と同様になされる。
【００２５】
ヒンジ部品４が、幅広い開放位置（図２のＡ）から、閉位置の手前約４５°に位置する部分的にのみ開放された位置（図２のＢ）へと枢動されるとき、支持レバー５に対するロッドアセンブリ１８の連結の結果として、反転レバー１３は移動されず或いは非常に僅かしか移動されない。そのため、ハウジング１１’およびピストンロッド１２’を有するダンパに未だ影響を与えない。閉位置の手前２０°〜４０°の範囲でのみ、支持レバー５によってロッドアセンブリ１８が移動され、それにより、反転レバー１３’が回転されてピストンロッド１２’がハウジング１１’内に押し込まれる。その場合、ハウジング１１’は、横方向力を回避するために、反転レバー１３’の回転動作の範囲内で軸２１を中心に僅かに枢動される。
【００２６】
閉位置が図２のＣに示されている。ピストンロッド１２’はハウジング１１’内の引き込み位置に位置される。
【００２７】
図示の実施形態では、ピストンロッド１２，１２’のそれぞれが反転レバー１３と結合される。無論、ハウジング１１または１１’のそれぞれを反転レバー１３と結合し、また、ピストン１２または１２’のそれぞれをサイド部品３，３’のそれぞれと結合することもできる。
【図１Ａ】
2010501754.tif 000003
【図１Ｂ】
2010501754.tif 000004
【図１Ｃ】
2010501754.tif 000005
【図２Ａ】
2010501754.tif 000006
【図２Ｂ】
2010501754.tif 000007
【図２Ｃ】
2010501754.tif 000008
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
サイド部品（３，３’）が固定される取り付けプレート（２）と、
開位置と閉位置との間で前記サイド部品（３，３’）に対して枢動可能で且つ平行制御アームの態様の支持レバー（５）およびガイドレバー（６）を介して関節結合されるヒンジ部品（４）と
を備え、
前記サイド部品（３，３’）と前記ヒンジ部品（４）との間の動作を弱めるためにハウジング（１１，１１’）およびピストンロッド（１２，１２’）を有するリニアダンパが前記サイド部品（３，３’）に設けられる家具ヒンジ（１，１’）において、
前記ヒンジ部品（４）の閉位置の手前４５°未満の角度範囲でのみ前記リニアダンパ（１１，１２；１１’，１２’）が有効であることを特徴とする、家具ヒンジ。
【請求項２】
前記リニアダンパ（１１，１２；１１’，１２’）は、前記ヒンジ部品（４）の２０°〜４０°の角度範囲および閉位置においてのみ有効であることを特徴とする、請求項１に記載の家具ヒンジ。
【請求項３】
前記サイド部品（３，３’）上に回転可能に保持され且つ一方で前記リニアダンパ（１１，１２；１１’，１２’）と結合され他方でロッドアセンブリ（１８）と結合される反転レバー（１３，１３’）が設けられることを特徴とする、請求項１または２に記載の家具ヒンジ。
【請求項４】
前記ロッドアセンブリ（１８）が前記支持レバー（５）上または前記ガイドレバー（６）上に回転可能に保持されることを特徴とする、請求項３に記載の家具ヒンジ。
【請求項５】
前記ロッドアセンブリ（１８）は、前記サイド部品（３，３’）上に配置される前記支持レバー（５）の軸（８）に隣接する前記ヒンジ部品（４）と対向する前記支持レバー（５）に連結されることを特徴とする、請求項１〜４のいずれか一項に記載の家具ヒンジ。
【請求項６】
前記リニアダンパ（１１，１２）が湾曲ガイド（１６）を介して前記反転レバー（１３）と結合され、前記ピストンロッド（１２）がダンピング中に前記ハウジング（１１）に対して軸方向に移動されることを特徴とする、請求項１〜５のいずれか一項に記載の家具ヒンジ。
【請求項７】
前記反転レバー（１３）上には前記リニアダンパ（１１，１２）と結合するために楕円穴（１６）が配置されることを特徴とする、請求項６に記載の家具ヒンジ。
【請求項８】
前記リニアダンパ（１１，１２）が前記取り付けプレート（２）及び／又は前記サイド部品（３，３’）に対して固定されることを特徴とする、請求項１〜７のいずれか一項に記載の家具ヒンジ。
【請求項９】
前記リニアダンパ（１１’，１２’）は、一方側が前記反転レバー（１３’）と結合され、他方側が前記サイド部品（２’）上に枢動可能に保持されることを特徴とする、請求項１〜８のいずれか一項に記載の家具ヒンジ。
【国際調査報告】
2010501754.tif 000009
2010501754.tif 000010
2010501754.tif 000011
2010501754.tif 000012
2010501754.tif 000013
2010501754.tif 000014